(57)【要約】【課題】電池パックによる電力供給の遮断前にＩＣカードの抜き取りが行われることを確実に防止するＩＣカード付き携帯電話機を提供すること。【解決手段】電池パック３と電池パック３を装着するための凹部４を有する携帯電話機本体２とＩＣカード５とからなり、凹部４には電池パック３の一側面３１に設けられた電池パック側端子９に対向する本体側端子８とＩＣカード５の装着口７とが設けられているＩＣカード付き携帯電話機１において、電池パック３において電池パック側端子９が設けられた側面３２の電池パック表面寄りの位置に設けられた突起１１と、携帯電話機本体１に設けられた突起１１を受ける受け部１２とを設け、電池パック３を突起１１を支点として回動可能にする。【選択図】図８
2008053789.tif 000002
【特許請求の範囲】
【請求項１】
電池パックと該電池パックを装着するための凹部を有する携帯電話機本体とＩＣカードとからなり、前記凹部には前記電池パックの一側面に設けられた電池パック側端子に対向する本体側端子と前記ＩＣカードの装着口とが設けられているＩＣカード付き携帯電話機において、
前記電池パックにおいて前記電池パック側端子が設けられた側面の該電池パック表面寄りの位置に設けられた突起と、
前記携帯電話機本体に設けられた前記突起を受ける受け部と、
を設けていることを特徴とするＩＣカード付き携帯電話機。
【請求項２】
前記電池パック側端子に対向する前記本体側端子は、弾性体からなり前記凹部内に弾性的に突出するように形成されていることを特徴とする請求項１に記載のＩＣカード付き携帯電話機。
【発明の詳細な説明】
【技術分野】
【０００１】
本発明は、電池パックと該電池パックを装着するための凹部を有する携帯電話機本体とＩＣカードとからなり、前記凹部には前記電池パックの一側面に設けられた電池パック側端子に対向する本体側端子と前記ＩＣカードの装着口とが設けられているＩＣカード付き携帯電話機に関する。
【背景技術】
【０００２】
近年、携帯電話機には各種の多量のデータを用いるために着脱自在なＩＣカードを用いたものが普及されている。同時に、携帯電話機は電源供給のために装着自在な電池パックが備えられている。
【０００３】
この種の携帯電話機としては、例えば、下記の特許文献１で示すようにＩＣカードの上方に電池パックが装着されるようにしたものがある。すなわち、電池パックと携帯電話機本体との間にＩＣカードが挟みこまれる構造になっている。そして、ＩＣカードは携帯電話機本体の中央付近に設けたＩＣカード接続コネクタと接続されるようになっている。したがって、電池パックを取り外さないとＩＣカードも取り外せないため、携帯電話機の電源が入った状態ではＩＣカードを取り出せなくなり、ＩＣカード内及び携帯電話機本体内のデータ破壊を防止できる利点を有する。
【０００４】
しかし、下記特許文献１で示す従来技術においては、ＩＣカードと電池パックとを重ねているため携帯電話機の厚みが大きくなるという欠点がある。また、電池パックを取り外したときに、ＩＣカードが全体的に露出するので誤ってＩＣカードを携帯電話機本体から外してしまうという恐れがある。
【０００５】
そこで、従来においては、更に、ＩＣカードの大きさが電池パックよりも小さいことに着目し、携帯電話機に形成した電池パックを収納するための凹部内の側面にＩＣカード用装着口を形成し、電池パックとＩＣカード装着部を並置させるようにした構造のものが考えられている。一方、凹部内の他の側面には本体側端子を設け、電池パック側端子と接触するようにしている。
【０００６】
上記のような従来の携帯電話機は、電池パックが本体から取り外されることにより電池パック側端子と本体側端子との接触状態が解除され、その後に、ＩＣカードの端が凹部側面に臨ませるようにしたものである。したがって、その一側面に設けた凹部の本体側側面に設けたＩＣカードへの電力供給が停止された後に、ＩＣカードの取り外しが可能となり、ＩＣカード内及び携帯電話機本体内のデータ破壊を防止できる利点を有する。同時に、携帯電話機の小型化を図ることができる。
【特許文献１】特開平６−２７６２６３号公報（段落［００１０］、［００１９］）
【発明の開示】
【発明が解決しようとする課題】
【０００７】
しかしながら、上述した従来技術においては、通常、本体側端子は携帯電話機本体から弾性的に突出する構成をとり、電池パック側端子との接触を確実にする方法が取られている。そのため、電池パックを取り外すために携帯電話機本体に対して回動しても、本体側端子が電池パック側端子に接触したままでＩＣカードを露出してしまう。そのため、使用者が電池パックと携帯電話機本体との間の隙間からＩＣカードを抜き取ることを可能としてしまう。したがって、ＩＣカードは通電中に抜き取られないようにすることが確実に防止できないため、ＩＣカードに記憶されたデータを破壊してしまうという事故を確実に防止することができなかった。
【０００８】
特に、ＩＣカードに記憶されるデータは破損すると回復が不可能であるため上記のような事故の発生を確実に防止することが強く望まれていた。
【０００９】
そこで、本発明は、上述の問題点を除去したＩＣカード付き携帯電話を提供することを目的とする。
【課題を解決するための手段】
【００１０】
前記課題を解決するために、本願の請求項１に係る発明は、電池パックと該電池パックを装着するための凹部を有する携帯電話機本体とＩＣカードとからなり、前記凹部には前記電池パックの一側面に設けられた電池パック側端子に対向する本体側端子と前記ＩＣカードの装着口とが設けられているＩＣカード付き携帯電話機において、
前記電池パックにおいて前記電池パック側端子が設けられた側面の該電池パック表面寄りの位置に設けられた突起と、
前記携帯電話機本体に設けられた前記突起を受ける受け部と、
を設けていることを特徴とする。
【００１１】
また、本願の請求項２に係る発明のＩＣカード付き携帯電話機においては、前記電池パック側端子に対向する前記本体側端子は、弾性体からなり前記凹部内に弾性的に突出するように形成されていることを特徴とする。
【発明の効果】
【００１２】
本発明は、上述した解決手段により以下に述べる通りの優れた効果を奏する。すなわち、本願の請求項１に係る発明のＩＣカード付き携帯電話機によれば、電池パックを凹部から取出すときに、電池パックの突部が本体側の前記受け部によって受けられて該突部の先端が支点となって回動されるので、電池パックの少ない回動状態で前記電池パック側端子と前記本体側端子との接触状態が解除される。そのため、前記ＩＣカード用の装着口がＩＣカードの抜き取りを可能とするように露出される以前に前記電池パックからの電力供給が遮断される。したがって、前記ＩＣカードが作動中に電力供給が停止されてデータを破損する事故を確実に防止できる。また、その構成は、前記突部と受け部を設けるだけの簡単なものである。
【００１３】
また、本願の請求項２に係る発明のＩＣカード付き携帯電話機によれば、前記本体側端子は前記凹部に弾性的に突出しているので、前記電池パックを凹部に装着した状態では、前記電池パック側端子に確実に接触する。したがって、前記本体は電池パックからの電力供給が確実になされる。
【発明を実施するための最良の形態】
【００１４】
以下、本発明の具体例を実施例及び図面を用いて詳細に説明する。
【実施例】
【００１５】
以下、本発明の実施例について図面を参照して説明する。図１は本発明の実施例に係るＩＣカード付き携帯電話機の下半分を示す平面図、図２は図１におけるＡ−Ａ線断面図、図３は図１の横断面図であり、図３（ａ）はＢ−Ｂ線断面図、図３（ｂ）は図３（ａ）の部分Ｗの拡大図、図４は図１の横断面図であり、図４（ａ）はＣ−Ｃ線断面図、図４（ｂ）は図４（ａ）の部分Ｘの拡大図、図５は図１において電池パックを取り外している途中の状態を示す平面図、図６は図５におけるＤ−Ｄ線断面図、図７は図５の横断面図であり、図７（ａ）はＥ−Ｅ線断面図、図７（ｂ）は図７（ａ）の部分Ｙの拡大図、図８は図５の横断面図であり、図８（ａ）はＦ−Ｆ線断面図、図８（ｂ）は図８（ａ）の部分Ｚの拡大図である。
【００１６】
ＩＣカード付き携帯電話機１は、本体２の一面に平板状の電池パック３を装着するために形成した凹部４と、ＩＣカード５を装着するためのＩＣカード装着部６とを本体２の長手方向に並置して備えている。凹部４のＩＣカード装着部６に接した第一の側面４１には、ＩＣカード装着部６の装着口７が設けられている。凹部４における第一の側面４１と直交する第二の側面４２には、本体側端子８が設けられている。本体側端子８は弾性体、例えばばね材からなり弾性的に凹部４内に突出している。
【００１７】
電池パック３は、一側面３１に設けられた電池パック側端子９と、該一側面の反対側に位置する他側面３２に設けられた爪１０とを有する。電池パック側端子９は電池パック３が凹部４に装着された状態で本体側端子８と接している。
【００１８】
電池パック３の側面３１には、電池パック側端子９から電池パック３の表面よりの位置に突起１１が設けられている。凹部４の第二の側面４２の上部には、本体２を切り欠いて突起１１を受けるための受け部１２が形成されている。
【００１９】
上述した本発明の実施例によるＩＣカード付き携帯電話機の動作を説明する。図１〜図５で示すように、電池パック３を凹部４に装着した状態では、本体側端子８が電池パック側端子９に接触している。この接触状態は、本体側端子８が凹部４内に弾性的に突出していることにより確実に確保されている。一方、ＩＣカード装着部６の装着口７は電池パック３によって塞がれている。
【００２０】
したがって、ＩＣカード付き携帯電話機１は電池パック３から電力供給を受けており、ＩＣカード装着部６に装着されたＩＣカード５に対してデータの書き込み及び読み出しを可能としている。
【００２１】
使用者は、図５〜図８で示すように、電池パック３を取り外すときには爪１０でもって電池パック３の他側面３２を持ち上げる。その結果、突起１１が受け部１２で受けられることにより、電池パック３は突起１１を支点として回動する。
【００２２】
電池パック３の回動状態においては、本体側端子８と電池パック側端子９とは突起１１からなる支点の下方にあるため、比較的回動角度が小さい段階で両者間の距離が大きくなる。したがって、本体側端子８が弾性的に突出していても電池パック側端子９との接触状態が解除される。
【００２３】
この接触状態の解除による電池パック３からの電力供給の停止時点は、図７（ａ）、図７（ｂ）で示すように、電池パック３がまだ装着口７を部分的に塞いでいる状態にある。したがって、使用者は電池パック３からの電力供給中においてＩＣカード５をＩＣカード装着部６から取り出すことが不可能である。
【００２４】
電池パック３を更に大きく回動すると、装着口７は電池パック３によって塞がれなくなり、ＩＣカード５の取り出しを可能とする。
【００２５】
上述した本発明の実施例によれば、ＩＣカード付き携帯電話機１は電池パック３とＩＣカード装着部６とが並置されているので、薄型の形状となる。電池パック３を凹部４から取出すときには、電池パック３の表面側に設けた突部１１が本体側の受け部１２によって受けられ、突部１１の先端が支点となって回動される。そのため、電池パック３の少ない回動状態で電池パック側端子９と本体側端子８との接触状態が解除される。この解除時点では、ＩＣカード装着部６の装着口７が電池パック３によって塞がれている。
【００２６】
即ち、電池パック３からの電力供給はＩＣカード５が抜き取りを可能とするように露出される以前に遮断される。したがって、ＩＣカード５が作動中に電力供給が停止されてデータを破損する事故を生じない。
【００２７】
一方、本体側端子８は凹部４に弾性的に突出しているので、電池パック３を凹部４に装着した状態では、電池パック側端子９に確実に接触する。
【図面の簡単な説明】
【００２８】
【図１】本発明の実施例に係るＩＣカード付き携帯電話機の下半分を示す平面図である。
【図２】図１におけるＡ−Ａ線断面図である。
【図３】図１の横断面図であり、図３（ａ）はＢ−Ｂ線断面図、図３（ｂ）は図３（ａ）の部分Ｗの拡大図である。
【図４】図１の横断面図であり、図４（ａ）はＣ−Ｃ線断面図、図４（ｂ）は図４（ａ）の部分Ｘの拡大図である。
【図５】図１において電池パックを取り外している途中の状態を示す平面図である。
【図６】図５におけるＤ−Ｄ線断面図である。
【図７】図５の横断面図であり、図７（ａ）はＥ−Ｅ線断面図、図７（ｂ）は図７（ａ）の部分Ｙの拡大図である。
【図８】図５の横断面図であり、図８（ａ）はＦ−Ｆ線断面図、図８（ｂ）は図８（ａ）の部分Ｚの拡大図である。
【符号の説明】
【００２９】
１        ＩＣカード付き携帯電話機
２        本体
３        電池パック
４        凹部
５        ＩＣカード
６        ＩＣカード装着部
７        装着口
８        本体側端子
９        電池パック側端子
１０      爪
１１      突起
１２      受け部
３１      電池パックの一側面
３２      電池パックの他側面
４１      凹部の第一の側面
４２      凹部の第二の側面
【図１】
2008053789.tif 000003
【図２】
2008053789.tif 000004
【図３】
2008053789.tif 000005
【図４】
2008053789.tif 000006
【図５】
2008053789.tif 000007
【図６】
2008053789.tif 000008
【図７】
2008053789.tif 000009
【図８】
2008053789.tif 000010